(57)【特許請求の範囲】
【請求項１】
制御局、及びチャネル割当てのためのマルチユーザー変調手段、マルチモード復調手段及び合成・チャネルデコード手段を備えた基地局を含んで構成された移動通信システムにおけるチャネル割当方法であって、
前記制御局の呼処理部から伝送されたチャネルエレメント割当てメッセージを記憶するための記憶領域を生成し、チャネル割当て情報と前記各手段との対応関係を表すリンクリストを構成する第1ステップと、
前記制御局から受信したチャネル割当メッセージを前記記憶領域に記憶し、受信した前記チャネル割当てメッセージからチャネル情報を取り出した後、チャネルエレメントのセクターを分析する第2ステップと、
前記分析したセクターのマルチユーザー変調手段の中から正常状態のマルチユーザー変調手段を探索し、該探索されたマルチユーザー変調手段にチャネルを割当て、マルチユーザー変調手段のチャネル割当て情報を更新する第3ステップと、
前記分析したセクターのマルチモード復調手段の中から正常状態のマルチモード復調手段を探索し、該探索されたマルチモード復調手段にチャネルを割当て、マルチモード復調手段のチャネル割当情報を更新する第4ステップと、
前記分析したセクターの合成・チャネルデコード手段の中から正常状態の合成・チャネルデコード手段を探索し、該探索された合成・チャネルデコード手段にチャネルを割当て、合成・チャネルデコード手段のチャネル割当情報を更新する第5ステップと、
前記各手段に関するマッピング関係を表すチャネルエレメントマッピングテーブルが完成すれば、前記リンクリストに前記制御局の呼処理部から受信したチャネル情報を記憶し、前記チャネルを割当てられたマルチユーザー変調手段、マルチモード復調手段及び合成・チャネルデコード手段に前記チャネルエレメントの情報を伝送する第6ステップとを含むことを特徴とする移動通信システムにおける基地局チャネル割当方法。
【請求項２】
前記第3ステップは、
前記セクターに属するマルチユーザー変調手段の中に状態が正常である手段が存在するか否かを確認し、状態が正常であるマルチユーザー変調手段が存在しない場合には状態管理ブロックにマルチユーザー変調手段不良を伝送し、状態が正常であるマルチユーザー変調手段が存在する場合にはそのマルチユーザー変調手段を選択し、現在割当てられているチャネルエレメントの種類と次に割当てられるチャネルエレメントの種類を把握するステップと、
前記選択されたマルチユーザー変調手段にDCCHまたはFCHを割当て可能であるか否かを確認し、前記選択されたマルチユーザー変調手段にDCCHまたはFCHを割当て可能である場合には前記選択されたマルチユーザー変調手段にチャネルを割当て、マルチユーザー変調のチャネル割当て情報を更新するステップとを含むことを特徴とする請求項1記載の移動通信システムにおける基地局チャネル割当方法。
【請求項３】
前記第4ステップは、
前記セクターに属するマルチモード復調手段の中に状態が正常である手段が存在するか否かを確認し、状態が正常であるマルチモード復調手段が存在しない場合には状態管理ブロックにマルチモード復調手段不良を伝送し、状態が正常であるマルチモード復調手段が存在する場合にはそのマルチモード復調手段を選択し、現在割当てられているチャネルエレメントの種類と次に割当てられるチャネルエレメントの種類を把握するステップと、
前記選択されたマルチモード復調手段にDCCHまたはFCHを割当て可能であるか否かを確認し、前記選択されたマルチモード復調手段にDCCHまたはFCHを割当て可能である場合には前記選択されたマルチモード復調手段にチャネルを割り当て、マルチモード復調のチャネル割当て情報を更新した後、状態情報参照部に割当て結果の情報を伝送するステップとを含むことを特徴とする請求項１に記載の移動通信システムにおける基地局チャネル割当方法。
【請求項４】
前記第5ステップは、
前記セクターに属する合成・チャネルデコード手段の中に状態が正常である手段が存在するか否かを確認し、状態が正常である合成・チャネルデコード手段が存在しない場合には、状態管理ブロックに合成・チャネルデコード手段不良を伝送し、状態が正常である合成・チャネルデコード手段が存在する場合にはその合成・チャネルデコード手段を選択するステップと、
前記選択された合成・チャネルデコード手段にDCCH及びFCHの割当てが可能であるか否かを確認し、前記選択された合成・チャネルデコード手段にDCCHまたはFCHの割当て可能である場合には前記選択された合成・チャネルデコード手段にチャネルを割り当て、合成・チャネルデコードチャネル割当情報を更新するステップとを含むことを特徴とする請求項１に記載の移動通信システムにおける基地局チャネル割当方法。
【請求項５】
前記第6ステップは、
前記チャネルエレメントマッピングテーブルの完成の如何を確認し、該チャネルエレメントマッピングテーブルが未完成である場合には状態管理ブロックにマルチユーザー変調/マルチモード復調/合成・チャネルデコード手段不良を伝送し、前記チャネルエレメントマッピングテーブルが完成されている場合には該完成されたマッピングテーブルを前記記憶領域に記憶するステップと、
前記リンクリストをオープンし、該リンクリストの最後の部分を検出して該最後の部分に新しく割当てられるチャネルエレメントの情報を記憶した後、前記オープンしたリンクリストをクローズするステップと、
前記制御局の呼処理ブロックが割当てたチャネルにマッピングされるマルチユーザー変調手段、マルチモード復調手段及び合成・チャネルデコード手段に、制御局の呼処理ブロックから伝送されたチャネル割当メッセージのすべてのチャネル関連情報を伝送するステップとを含むことを特徴とする請求項１に記載の移動通信システムにおける基地局チャネル割当方法。
【請求項６】
前記記憶領域に記憶される情報は、
割当てられるチャネルエレメントのID、チャネルエレメントの種類、チャネルエレメントが属するセクターID、割当てられたチャネルエレメントを使用するユーザの呼び出しID、割当てられたチャネルエレメントにマッピングされるマルチユーザー変調手段、マルチモード復調手段及び合成・チャネルデコード手段の手段アドレスであることを特徴とする請求項５に記載の移動通信システムにおける基地局チャネル割当て方法。
【発明の詳細な説明】
【０００１】
【発明の属する技術分野】
本発明は、複数のボードを組合せて１つのチャネルエレメントをなす移動通信システム(IMT-2000システム)における基地局チャネル割当て方法に関し、特に制御局の呼処理ブロックから受信されたチャネルエレメント情報を利用して複数のボードにチャネルエレメントを割り当て、チャネル割当情報を構成できるIMT-2000システムにおける基地局チャネル割当て方法に関する。
【０００２】
【従来の技術】
一般に、CDMA方式を適用した個人携帯通信システム(PCS)やディジタルセルラーシステム(DCS)の基地局システムにおいては、チャネルカードと呼ばれるボードに変調及び復調機能を実行するチャネルエレメントと呼ばれるセルサイトモデム（以下「CSM（Cell Site Modem）」と記す）チップが12〜16個程度、またはそれ以上実装されている。ここで1個のCSMチップが１つのチャネルを形成する。そして制御局の呼処理ブロックにおいてチャネルエレメントを割当てる場合には、チャネルエレメントの番号のみを利用して割当てる。
【０００３】
しかしながら、次世代移動通信システムであるIMT-2000システムの基地局装置においては、チャネルエレメントというセルサイトモデム（CSM）チップがなく、独立チャネルエレメントという概念がユーザという概念に変更された。すなわち、１つのチャネルエレメントを構成するためには、マルチユーザーモジュレーター(Multi-User Modulator：以下「MUM」と記す)、マルチモードディモジュレーター(Multi-Mode Demodulator：以下「MMD」と記す)、合成器・チャネルデコーダー(Combiner & Channel Decoder：以下「CCD」と記す)と呼ばれる複数のボードを組合せてチャネルエレメントを実現しなければならない。
【０００４】
従って、既存のチャネルエレメント方式をIMT-2000システムの基地局にそのまま適用した場合には、チャネル割当てが不可能になる問題点が発生する。
【０００５】
【発明が解決しようとする課題】
上記した問題を解決するために、本発明は、複数のボードを組合せて１つのチャネルエレメントを構成するIMT-2000基地局システムにおいて、制御局の呼処理ブロックが割当てたチャネルエレメントの情報を受信して複数のボードにチャネルエレメントを割り当て、この情報を構成及び管理することが可能な基地局チャネルの割当て方法を提供することを目的とする。
【０００６】
【課題を解決するための手段】
上記した目的を達成するために、本発明にかかる通信システムにおける基地局チャネルの割当て方法は、制御局呼処理ブロックが割当てたチャネルエレメント情報を受信して基地局状態管理ブロックが有している基地局を構成する各手段に関する状態情報、特にマルチユーザー変調手段、マルチモード復調手段及び合成・チャネルデコード手段に関する情報を参照して、正常であるマルチユーザー変調手段、マルチモード復調手段及び合成・チャネルデコード手段を探索し、探索されたマルチユーザー変調手段、マルチモード復調手段及び合成・チャネルデコード手段にチャネルを割り当て、これらの手段等の情報と割当てられたチャネルエレメントの内容をリンクリスト(Linked List)としてメモリに記憶し、割当てられたマルチユーザー変調手段、マルチモード復調手段及び合成・チャネルデコード手段に該当チャネルエレメントの情報を伝送する。
【０００７】
【発明の実施の形態】
以下、本発明が属する技術分野における通常の知識を有する者が本発明の技術的思想を容易に実施できるほどに詳細に説明するため、本発明にかかる好ましい実施の形態を添付した図面を参照して説明する。
【０００８】
図1は、本発明が適用されるIMT-2000 システムにおける基地局装置の概略構成を示したブロック図である。
【０００９】
ここで符号100は制御局(BSC)を示し、符号200は制御局100と有線接続されてデータをインターフェースする基地局(BTS)を示す。
【００１０】
また、基地局(BTS)200は、上記制御局100とパケットデータをインターフェースするためのデータパケットルーター210(Data Packet Router:DPR)と、基地局システム全体動作を管理するセルサイトコントローラ220(Cell Site Controller：以下「CSC」と記す)と、信号メッセージ、制御メッセージ及びトラフィック情報を変調及び拡散して端末に伝送し、8個のDCCH(Dedicated Control Channel)、8個のFCH(Fundamental Channel)、8個のSCH(Supplemental Channel)を同時に処理できるマルチユーザー変調器(MUM)230と、前記端末から信号メッセージ、制御メッセージ及びトラフィック情報を受信し、これらを復調し、逆拡散して合成器・チャネルデコーダー(CCD)250に伝送し、1枚当り1個のDCCH、1個のFCH、2個のSCHを収容するマルチモード復調器(MMD)240と、前記MMD240から受信したデータを組合せてデコードする機能を担い、チャネルエレメントの種類と関係なく1枚当り8個のチャネルを同時に処理できる前記合成器・チャネルデコーダーCCD250とを備える。
【００１１】
このように構成された基地局システムに関して、本発明にかかるIMT-2000システムにおける基地局チャネル割当て方法を、添付した図2Aないし図2Eに基づいて詳細に説明する。基地局のチャネル割当てのステップは基地局(BTS)200にあるCSC220によって実行される。
【００１２】
まずステップS1において、用いられるすべての変数を初期化し、ステップS2において、制御局100にある呼処理ブロックから受信するチャネルエレメント割当てメッセージのすべての情報を記憶するための記憶領域をメモリ上に生成する。
【００１３】
そしてステップS3において、最終的に割当てられるチャネルエレメントとマッピングされるMUM/MMD/CCDボードの情報を記憶するためのファイルであるリンクリストを構成する。ここで記憶される情報は、チャネルエレメントID、チャネルエレメントが属するセクター情報、チャネルエレメントの種類、現在割当てられているチャネルエレメントを使用するユーザの呼び出し(Call)ID、割当てられるチャネルエレメントとマッピングされるMUM/MMD/CCDボードアドレスなどである。
【００１４】
ステップS4において、制御局の呼処理ブロックからチャネルエレメント割当てメッセージの受信の如何を確認する。この確認の結果、チャネルエレメント割当てメッセージを受信していない場合には、チャネルエレメント割当てメッセージの受信の確認を繰返し、チャネルエレメント割当てメッセージを受信した場合には次のステップS5に移動する。
【００１５】
ステップS5においては、受信したチャネルエレメント割当てメッセージをステップS2において生成した記憶領域に記憶する。そしてステップS6において、チャネルエレメント割当てメッセージが記憶された記憶領域からチャネルエレメントマッピングテーブルの構成に必要なチャネル情報を取りだした後、次のステップS7に移動する。ここで、チャネルエレメントマッピングテーブルの構成に必要なチャネル情報は、チャネルエレメントID、チャネルエレメントが属するセクターID、チャネルエレメントの種類、現在割当てられているチャネルを使用するユーザの呼び出しIDなどである。
【００１６】
ステップS7においてはステップS6において得た情報から割当てられるチャネルエレメントが属するセクターIDを分析する。そして、ステップS8において、前記セクターIDに該当するセクターに属するMUMボードのうちに正常な状態のボードがあるか否かをチェックし、正常状態のMUMボードがない場合にはステップS9において状態管理ブロックにMUMボード不良を伝送した後、ステップS4に戻る。これに対し、正常状態のMUMボードが存在すると判断した場合には、ステップS10において現在のチャネルエレメントの種類と次のチャネルエレメントの種類をチェックする。
【００１７】
次いで、ステップS11において、1枚の正常なMUMボードを選択して、該MUMボードにDCCHまたはFCHが割当て可能であるか否かを確認し、その確認の結果、前記選択したMUMボードにDCCHまたはFCHのどちらも割当てられない状態であると判断した場合には、ステップS8に戻り、前記選択したMUMボードと異なる正常なMUMボートに関して上記したステップS8〜S11を繰返し、これに対し前記選択したMUMボードにDCCHまたはFCHが割当て可能であると判断した場合には、ステップS12においてそのMUMボードにチャネルを割り当て、MUMのチャネル割当て情報を更新する。
【００１８】
次に、ステップS13に進み、チャネル割当情報参照部の戻り値が正しいか否かを確認する。その確認の結果、チャネル割当情報参照部から伝送された信号が正しい信号ではないと判断した場合には、前記ステップS8に戻り、上記したステップS8〜S13を繰り返し遂行し、前記チャネル割当情報参照部から伝送された信号が正しい信号であと判断した場合には、ステップS14において該当セクターのMMDボードのうちに正常な状態のものが存在しているか否かを確認する。
【００１９】
この確認の結果、当該セクターのMMDボードのうちに正常状態のものが存在しないと判断した場合にはステップS15に移動し、該ステップにおいて状態管理ブロックにMMDボード不良を伝送し、前記ステップS4に戻る。
【００２０】
これに対し、ステップS14における確認の結果、該当セクターのMMDボードのうちに正常状態のものが存在すると判断した場合には、ステップS16において現在のチャネルエレメントの種類と次のチャネルエレメントの種類を把握する。次いで、ステップS17に進み、１枚の正常なMMDボードを選択し、該選択されたMMDボードにDCCHまたはFCHを割当て可能であるか否かを確認する。、この確認の結果、前記選択されたMMDボードにDCCHまたはFCHのいずれをも割当てることができないと判断した場合には、前記ステップS14に戻り、前記選択したMMDボードと異なる正常なMMDボードに関してステップS14〜S17を繰り返し遂行し、これに対し、選択されたMMDボードにDCCHまたはFCHを割当て可能であると判断した場合には、ステップS18に進み、そのMMDボードにチャネルを割り当て、MMDチャネル割当て情報を更新した後、チャネル割当状態情報参照部に割当て結果情報を伝送する。そして次に、ステップS19においてチャネル割当情報参照部の戻り値を確認して正しくないと判断すれば、前記ステップS14に戻り当該セクターのMMDボードを探索するステップS14以降のステップを繰り返し遂行する。
【００２１】
他方、前記ステップS19においてチャネル割当情報参照部の戻り値を確認した結果正しいと判断した場合には、ステップS20に移動して、正常な状態のCCDボードが存在しているか否かを確認する。
【００２２】
その確認の結果、正常状態のCCDボードが存在しないと判断した場合にはステップS21に進み、状態管理ブロックにCCDボード不良を伝送し、前記ステップS4に戻り、それ以降のステップを繰り返し遂行する。これに対し、ステップ20における確認の結果、正常状態のCCDボードが存在すると判断した場合にはステップS22に進み、ステップS11、S17の場合と同様に、正常状態のCCDボードにDCCHまたはFCHの割当ての可能性の如何を確認する。
【００２３】
この確認の結果、正常状態のCCDボードのうちにDCCH及びFCHのいずれをも割当てることができないと判断した場合には、前記ステップS20に戻り、正常状態のCCDボードを探すステップS20〜S22を繰り返し遂行し、この確認の結果、正常状態のCCDボードにDCCH及びFCHの割当てが可能であると判断した場合には、ステップS23に進み、そのCCDボードにチャネルを割り当て、CCDチャネル割当て情報を更新する。
【００２４】
次に、ステップS24に進み、チャネル割当情報参照部の戻り値を確認して正しくないと判断した場合には、再び正常状態のCCDボードを探してDCCHまたはFCHを割当てるために、前記ステップS20に戻り、それ以降のステップを繰り返し遂行する。これに対し、ステップS24における確認の結果、チャネル割当情報参照部の戻り値が正しいと判断した場合には、ステップS25に移動し、チャネルエレメントマッピングテーブルの完成の如何を確認する。
【００２５】
この確認の結果、チャネルエレメントマッピングテーブルが未完成であると判断した場合には、ステップS26において状態管理ブロックにMUM/MMD/CCDボード不良を伝送した後、前記ステップS4に戻る。これに対しチャネルエレメントマッピングテーブルが完成したと判断した場合には、ステップS27に進み完成されたチャネルエレメントマッピングテーブル情報を記憶領域に記憶する。
【００２６】
次いで、ステップS28に進みリンクリストをオープンする。そして、ステップS29においてリンクリストの最後の部分を探した後、ステップS30において該リンクリストの最後の部分に新しく割当てられるチャネルエレメントの情報を記憶し、ステップS31においてリンクリストをクローズする。最後に、ステップS32において、制御局の呼処理ブロックが割当てたチャネルにマッピングされるMUM、MM、CCDの各ボードに制御局の呼処理ブロックから伝送されたチャネル割当てメッセージのすべてのチャネル関連情報を伝送して、一連の処理を終了する。
【００２７】
【発明の効果】
以上で詳述した本発明にかかる移動通信システムにおける基地局チャネル割当て方法は、IMT-2000システム等の移動通信システムの基地局においても既存のCDMAを適用した個人携帯情報通信システム(DCS)またはディジタルセルラーシステム(PCS)において使用されるチャネルエレメントという概念を使用することができるため、IMT-2000システムにおいて既存の制御局の呼処理ブロックとの互換性を維持できる効果を奏する。また、本発明にかかる移動通信システムにおける基地局チャネル割当て方法は、制限されたメモリの使用において、リンクリストを構成してメモリを使用することによって、メモリを效率的に使用することができる利点があり、またチャネルエレメントを流動的に使用できることから、１人のユーザに種々のチャネルを割当てなければならないIMT-2000システムに適用可能となる効果を奏する。
【図面の簡単な説明】
【図１】本発明が適用されるIMT-2000システムにおける基地局装置の概略構成を示したブロック図である。
【図2A】本発明に係るIMT-2000システムの実施の形態における基地局チャネル割当て方法における処理の開始からチャネルエレメントセクターIDの分析までの処理を示したフローチャートである。
【図2B】本発明に係るIMT-2000システムの実施の形態における基地局チャネル割当て方法における正常状態のMUMボードへのチャネル割当の処理を示したフローチャートである。
【図2C】本発明に係るIMT-2000システムの実施の形態における基地局チャネル割当て方法における正常状態のMMDボードへのチャネル割当の処理を示したフローチャートである。
【図2D】本発明に係るIMT-2000システムの実施の形態における基地局チャネル割当て方法における正常状態のCCDボードへのチャネル割当の処理を示したフローチャートである。
【図2E】本発明に係るIMT-2000システムの実施の形態における基地局チャネル割当て方法における確定したチャネル割当情報の記録等の後処理を示したフローチャートである。
【符号の説明】
１００    制御局(BSC)
２００    基地局(BTS)
２１０    データパケットルーター(DPR)
２２０    セルサイトコントローラ(CSC)
２３０    マルチユーザー変調器(MUM)
２４０    マルチモード復調器(MMD)
２５０    合成器・チャネルデコーダー(CCD)
【図１】
0003569717.tif 000002
【図２Ａ】
0003569717.tif 000003
【図２Ｂ】
0003569717.tif 000004
【図２Ｃ】
0003569717.tif 000005
【図２Ｄ】
0003569717.tif 000006
【図２Ｅ】
0003569717.tif 000007